(57)【要約】      （修正有）【課題】回転仕切体が過度に温められることがなく、ヒーター等の加温手段への電力入力を低減することができる冷蔵庫を提供する。【解決手段】観音開き式扉を備えた冷蔵庫において、回転仕切体２００は、少なくとも扉ガスケット１１０の吸着面を形成する仕切板２１０と、回転仕切体内部に配設された断熱材２２０と、仕切板２１０の周縁部および断熱材２２０の外面を覆う仕切枠体２３０と、仕切板内面に加温部分を直線状に配設した加温手段２４０とを備え、加温手段２４０の加温部分を１本のヒーター線で異なる発熱密度に区分し、加温手段２４０の発熱量は仕切板２１０の下部が最も高くなるようにヒーター線を配設したことにより、回転仕切体上部が過度に温められることがなく、回転仕切体２００のヒーター等の加温手段への電力入力を低減することができる。【選択図】図２
2018066498.tif 000002
【特許請求の範囲】
【請求項１】
貯蔵室の前面開口を併置した左右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切体は、少なくとも扉ガスケットの吸着面を形成する仕切板と、前記回転仕切体内部に配設された断熱材と、前記仕切板の周縁部および前記断熱材の外面を覆う仕切枠体と、前記仕切板内面に加温部分を直線状に配設した加温手段とを備え、前記加温手段の加温部分を１本のヒーター線で異なる発熱密度に区分し、前記加温手段の発熱量は前記仕切板の下部が最も高くなるように前記ヒーター線を配設したことを特徴とする冷蔵庫。
【請求項２】
前記ヒーター線とリード線とのリード線に、前記ヒーター線の上下方向取り付け間違い防止部材を備えることを特徴とする請求項１に記載の冷蔵庫
【請求項３】
前記上下方向取り付け間違い防止部材は、ヒーター線に接続する２本のリード線を異なる色で構成することを特徴とする請求項２に記載の冷蔵庫。
【請求項４】
前記上下方向取り付け間違い防止部材は、一端のヒーター線にマーキングを有することを特徴とする請求項２に記載の冷蔵庫。
【請求項５】
前記上下方向取り付け間違い防止部材は、ヒーター線に方向認識部材を有することを特徴とする請求項２に記載の冷蔵庫。
【発明の詳細な説明】
【技術分野】
【０００１】
本発明は、本体上部に設けた貯蔵室の前面開口を併置した左右扉で観音開き式に閉塞した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されており、これまで、冷蔵庫に対して冷凍室を上部に配置したトップフリーザータイプ、上部の冷蔵室と下部の野菜室との間に冷凍室を配置したミドルフリーザータイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、近年では、使い勝手を考慮して、使用頻度が高く収納容積の最も大きい冷蔵室を観音開き式の扉として最上段に配置し、その下方に製氷室や温度切替室、そしてその下方に野菜室、最下部に冷凍室を設置したタイプが主流になっており、前記冷蔵室の観音開き式扉の一方の開放端側の内面に閉扉時には他方の扉側へ回動する仕切体を取付けてガスケットの吸着面を設けるようにしている。
【０００４】
更に、近年の冷蔵庫における観音開き式の扉では、扉が大型化して縦方向寸法も長くなっており、縦方向に長い仕切体が湾曲することによる外面意匠上の課題を解決するために、回転仕切体の扉ガスケットの吸着面を形成する薄鋼板製の仕切板を、平板状の吸着面とその両側端縁を内方に折り返して重ね合わせ、さらに内方に折曲してアングル部を有する形状とし、仕切板の周縁部および仕切板の庫内側に設けた断熱部材の外面を合成樹脂製の仕切枠体で覆うとともにこの仕切枠体で仕切板を係合保持し、加えて仕切板内面に面ヒーターを貼付けて仕切板表面に発生する結露を防止したものが広く普及している（例えば、特許文献１参照）。
【０００５】
以下、図１６、図１７を用いて、従来の冷蔵庫の回転仕切体の仕様を説明する。
【０００６】
回転仕切体１３の基本構成としては、吸着面を形成する磁性体である薄鋼板製の仕切板１６と断熱層を形成する発泡スチロール製の成形断熱部材１８と、これらを覆って回転仕切体１３の外郭を形成する合成樹脂製の仕切枠体１７と、仕切板１６の内面に配設されたアルミ箔ヒーターなどからなる面ヒーター１９と、回転仕切体１３の上端部に配設され、上端面にガイド溝が形成されたキャップ部材５８とから構成されている。
【０００７】
一般的には、上記の構成では、薄鋼板製の仕切板１６と面ヒーター１９が直接接触しているため、漏電対応として仕切板１６と冷蔵庫１本体を接続するアース線を配設する必要がある。
【０００８】
また、冷蔵庫と回転仕切体１３の嵌合を目的としたキャップ部材５８は、仕切板１６と仕切枠１７のそれぞれの上部終端を覆って連結する役目も果たしている。
【先行技術文献】
【特許文献】
【０００９】
【特許文献１】特開２０１０−２４９４９１号公報
【発明の概要】
【発明が解決しようとする課題】
【００１０】
しかしながら、上記従来の構成では、低温となった冷蔵室の温度影響で冷やされた扉ガスケット１２が、熱伝導率の高い薄鋼板製の仕切板１６に直接接触することで、仕切板１６の大気開放部の表面温度が低下し、必要以上に面ヒーターの容量が大きくなり消費電力量が増加する。そして、冷蔵庫内下部にはチルド・パーシャル室を有する場合、その熱影響で冷蔵室内下部が低温となり回転仕切体下部が冷却され回転仕切体下部が発汗しやすいという課題を有していた。また、下部を基準に同一Ｗのヒーター線で構成すると、回転仕切体上部が過度に温められ、消費電力量が増加するという課題を有していた。
【００１１】
本発明は、上記の課題を解決するもので、回転仕切体のヒーター等の加温手段への電力入力を低減し、回転仕切体の構成をも簡素化できる冷蔵庫を提供することを目的とする。
【課題を解決するための手段】
【００１２】
上記従来の課題を解決するために、本発明の冷蔵庫は、貯蔵室の前面開口を併置した左右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切体は、少なくとも扉ガスケットの吸着面を形成する仕切板と、前記回転仕切体内部に配設された断熱材と、前記仕切板の周縁部および前記断熱材の外面を覆う仕切枠体と、前記仕切板内面に加温部分を直線状に配設した加温手段とを備え、前記加温手段の加温部分を１本のヒーター線で異なる発熱密度に区分し、前記加温手段の発熱量は前記仕切板の下部が最も高くなるように前記ヒーター線を配設したものである。
【００１３】
これにより、回転仕切体上部が過度に温められることがなく、回転仕切体のヒーター等の加温手段への電力入力を低減することができる。
【００１４】
また、前記ヒーター線とリード線とのリード線に、前記ヒーター線の上下方向取り付け間違い防止部材を備えることにより、組立時の配線間違いも確実に低減することができる。
【発明の効果】
【００１５】
本発明の冷蔵庫は、回転仕切体が過度に温められることがなく、回転仕切体のヒーター等の加温手段への電力入力を低減することができる。また、組立時の配線間違いも確実に低減することができ、消費電力量を低減した信頼性の高い冷蔵庫を提供することができる。
【図面の簡単な説明】
【００１６】
【図１】本発明の実施の形態１による冷蔵庫の観音開き式扉の開扉状態を示す正面図
【図２】本発明の実施の形態１による冷蔵室の閉扉状態での要部を示す断面図
【図３】本発明の実施の形態１による冷蔵室の図２のＡ−Ａ断面図
【図４】本発明の実施の形態１による冷蔵室の回転仕切体の分解斜視図
【図５】（ａ）本発明の実施の形態１による冷蔵室の断熱材と加温手段の組立て側面図、（ｂ）図５（ａ）のＢ−Ｂ断面図、（ｃ）図５（ａ）のＣ部拡大図
【図６】本発明の実施の形態１による冷蔵庫の加温手段の通電率と仕切板の表面温度の関係を説明したグラフ
【図７】本発明の実施の形態２による冷蔵庫の加温手段の具体構成図
【図８】本発明の実施の形態２による冷蔵庫のヒーター各部位におけるヒーター発熱量と仕切板表面温度の関係を説明した図
【図９】本発明の実施の形態３による冷蔵室の閉扉状態での要部を示す断面図
【図１０】本発明の実施の形態３による冷蔵室の図９のＤ−Ｄ断面図
【図１１】本発明の実施の形態３による冷蔵室の回転仕切体の分解斜視図
【図１２】本発明の実施の形態３による冷蔵庫の加温手段の具体構成図
【図１３】本発明の実施の形態４による冷蔵室の回転仕切体の分解斜視図
【図１４】本発明の実施の形態４による冷蔵庫の加温手段の具体構成図
【図１５】本発明の実施の形態４による上下方向取付け間違い防止部材の具体構成図
【図１６】従来の冷蔵庫の冷蔵室扉の閉扉状態を示す断面図
【図１７】従来の冷蔵庫の回転仕切体の分解斜視図
【発明を実施するための形態】
【００１７】
請求項１に記載の発明は、貯蔵室の前面開口を併置した左右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切体は、少なくとも扉ガスケットの吸着面を形成する仕切板と、前記回転仕切体内部に配設された断熱材と、前記仕切板の周縁部および前記断熱材の外面を覆う仕切枠体と、前記仕切板内面に加温部分を直線状に配設した加温手段とを備え、前記加温手段の加温部分を１本のヒーター線で異なる発熱密度に区分し、前記加温手段の発熱量は前記仕切板の下部が最も高くなるように前記ヒーター線を配設したことにより、回転仕切体上部が過度に温められることがなく、回転仕切体のヒーター等の加温手段への電力入力を低減することができる。
【００１８】
請求項２に記載の発明は、請求項１に記載の発明において、前記ヒーター線とリード線とのリード線に、前記ヒーター線の上下方向取り付け間違い防止部材を備えることにより、作業ミス等の不良品発生を抑制することができ、上下非対称の可変ヒーターを適用することができる。
【００１９】
請求項３に記載の発明は、請求項２に記載の発明において、前記上下方向取り付け間違い防止部材は、ヒーター線に接続する２本のリード線を異なる色で構成することによりヒーター線の上下方向確認をすることができ、簡素な構造で取り付け間違いを防止することができる。
【００２０】
請求項４に記載の発明は、請求項２に記載の発明において、前記上下方向取り付け間違い防止部材は、一端のヒーター線にマーキングを有することによりヒーター線の上下方向確認をすることができ、簡素な構造で取り付け間違いを防止することができる。
【００２１】
請求項５に記載の発明は、請求項２に記載の発明において、前記上下方向取り付け間違い防止部材は、ヒーター線に方向認識部材を有することによりヒーター線の上下方向確認をすることができ、簡素な構造で取り付け間違いを防止することができる。
【００２２】
以下、本発明の実施の形態について、図面を参照しながら説明する。なお、この実施の形態によってこの発明が限定されるものではない。
【００２３】
（実施の形態１）
図１は本発明の実施の形態１による冷蔵庫の観音開き式扉の開扉状態を示す正面図、図２は同実施の形態１による冷蔵室の閉扉状態での要部を示す断面図、図３は同実施の形態１による図２のＡ−Ａ断面図、図４は同実施の形態１による冷蔵室の回転仕切体の分解斜視図、図５（ａ）は同実施の形態１による冷蔵室の断熱材と加温手段の組立て側面図、（ｂ）は図（ａ）のＢ−Ｂ断面図、（ｃ）は図（ａ）のＣ部拡大図、図６は同実施の形態１による冷蔵庫の加温手段の通電率と仕切板の表面温度の関係を説明したグラフである。
【００２４】
図１において、冷蔵庫１００は向かって左側に位置する左側扉１０２及び向かって右側に位置する右側扉１０３を有し、図１では左側扉１０２と右側扉１０３を開扉させた状態を示している。左側扉１０２と右側扉１０３とが設けられている部分は冷蔵室１０５の部
分であり、左側扉１０２の下は製氷室１０６、さらに下は冷凍貯蔵室１０７、野菜室１０８とされている。右側扉１０３の下、製氷室１０６の右隣には切替室１０９が設けられている。
【００２５】
左側扉１０２と右側扉１０３はそれぞれヒンジ部により枢支されて左側と右側に開くように構成されており、左側扉１０２の非枢支側には回転仕切体２００を設けている。この回転仕切体２００は、左側扉１０２の開閉動作に応じて回転し、閉扉された状態では、左側扉１０２、右側扉１０３の非枢支側を扉ガスケット１１０を介して閉塞して、冷蔵室１０５内からの冷気漏れを防止している。
【００２６】
ここで、各貯蔵室間には断熱仕切部材（図示せず）が配置されており、この断熱仕切部材の前面には、鋼板製のカバー５０１、５０２、５０３が配設され、各貯蔵室扉の扉ガスケットを介して閉塞し、各貯蔵室からの冷気漏れを防止している。
【００２７】
次に、図２から図５において、回転仕切体２００は、扉ガスケット１１０の吸着面１１１を形成する仕切板２１０と、回転仕切体２００内部に配設された発泡スチロール製の断熱材２２０と、仕切板２１０の周縁部および断熱材２２０の外面を覆う合成樹脂製の仕切枠体２３０と、仕切板２１０内面中央に配設された加温部分２４１とリード線２４２で構成される加温手段２４０とから構成されている。また断熱材２２０と仕切枠体２３０の間には、熱膨張係数の小さな例えば金属プレートの補強板２５０が、冷蔵庫の高さ方向に対して回転仕切体２００の略全高域に配置される。
【００２８】
ここで、仕切板２１０は、合成樹脂製であり、内面には２つの磁性体２１１が取り付けられている。磁性体２１１は、冷蔵庫の高さ方向に対して回転仕切体２００の略全高域に構成されており、左側扉１０２、右側扉１０３が閉扉した状態において、扉ガスケット１１０内に構成された磁性体１１２と対向するように配置されており、本実施例では直方体のプラスチックマグネットを使用した。更に、加温手段２４０の加温部分２４１及び磁性体２１１は、仕切板２１０と断熱材２２０の間で圧接して保持されている。また、加温手段２４０の加温部分２４１は線状ヒーター等の直線状なもので、磁性体２１１の間に磁性体２１１と並行して配置される。また加温手段２４０のリード線２４２は発熱しない抵抗値の小さな電線であり、加温部分２４１とは逆面側で断熱材２２０と仕切枠体２３０で圧接保持されている。
【００２９】
次に、回転仕切体２００の全体構成を図４の斜視図、加温手段２４０の配置を図５の組立て図を用いてもう少し詳細に説明する。回転仕切体２００は、扉ガスケット１１０の吸着面１１１を形成する合成樹脂製の仕切板２１０と、回転仕切体２００内部に配設された発泡スチロール製の断熱材２２０と、金属製プレートの補強板２５０と、仕切板２１０の周縁部および断熱材２２０の外面を覆う合成樹脂製の仕切枠体２３０と、断熱材２２０の仕切板２１０側に加温部分２４１を、補強板２５０側にリード線２４２が配置された加温手段２４０で構成される。また、仕切板２１０内面中央に配設された加温部分２４１と、仕切板２１０の内面には加温部分２４１を挟む形で２つの磁性体２１１が取り付けられている。尚、加温手段２４０は組立てられた断熱材２２０の最下部で、加温部分２４１（ヒーター）とリード線２４２（電線）に区切られている。
【００３０】
以上のように構成された冷蔵庫について、以下その動作、作用について説明する。
【００３１】
まず、従来の構成では、低温となった冷蔵室３の温度影響で冷やされた扉ガスケット１１，１２が、熱伝導率の高い薄鋼板製の仕切板１６に直接接触することで、必要以上に仕切板１６の大気開放部の表面温度が低下し、これを補って露点温度以上にするために、面ヒーター１９の容量を大きくする必要があったのに対して、本実施の形態１の場合、回転
仕切体２００の扉ガスケット１１０の吸着面１１１を形成する仕切板２１０を合成樹脂製としている。
【００３２】
このことで図６の加温手段の通電率と仕切板の表面温度の関係のグラフが示す様に、同一の通電率の条件では、本実施例の場合の仕切板２１０の表面温度は、従来の仕切板１６の表面温度に対して約３Ｋ高く、また、外気条件が３０℃、７５％のときの露点温度を維持するための通電率は、約１０％低減できることがわかる。これは、扉ガスケット１１０が接触する仕切板２１０を熱伝導率の小さな合成樹脂にしたことで、仕切板２１０の大気開放部２１２の温度の低下が抑制されたことによる。
【００３３】
加えて、扉ガスケット１１０内に構成された磁性体１１２と対向するように、磁性体２１１を配置することで、扉ガスケット１１０との吸着という、回転仕切体２００の基本機能を確保することができる。
【００３４】
また、仕切板２１０と仕切枠体２３０を合成樹脂製とした場合、熱膨張の影響で例えば庫内温度が低いと仕切枠体２３０は縮み、庫外温度が高いと仕切板２１０は伸びる方向となる。従ってこの伸縮差により回転仕切体２００は長手側に反る力が働くが、金属製の補強板２５０が回転仕切体２００の略全高域に挿入されているので、反りの影響を排除することができる。
【００３５】
以上のように、本実施の形態においては、冷蔵室１０５の左右扉の少なくともいずれか一方（ここでは左側扉１０２）の反枢支側の内面に、縦方向に亙る回転仕切体２００を設けて扉ガスケット１１０の吸着面１１１を合成樹脂性の仕切板２１０とし、仕切板２１０内側に磁性体２１１を扉ガスケット１１０内蔵の磁性体１１２と対向する位置に配置し、その磁性体２１１の間に加温手段２４０の加温部分２４１を直線的に並行に配置し、仕切板２１０周縁部および断熱材２２０の外面を合成樹脂製の仕切枠体２３０で覆うことにより、仕切板２１０の表面温度を従来の薄鋼板製よりも高く維持でき、結露防止のための加温手段２４０の電力入力が少なくなるので、冷蔵庫１００の消費電力を削減することができる。
【００３６】
また、加温手段２４０のリード線２４２を断熱材２２０を介して、加温部分２４１と逆面に配置するので、加温部分２４１が直線状に配置され、仕切板２１０内面に配置する磁性体２１１の取り付けスペースが確保でき、扉ガスケット１１０内面の磁性体１１２と精度良く対向されるので、回転仕切体２００と扉ガスケット１１０との吸着状態の信頼性が確保できる。
【００３７】
さらに、加温手段２４０は合成樹脂製の仕切板２１０の内面に配設され、人が触れる部分が合成樹脂のため漏電対応の必要がなく、アース線の廃止で低コスト化を図ることができる。
【００３８】
また、断熱材２２０と仕切枠体２３０の間に略全高域に金属製の補強板２５０を挿入するので、合成樹脂製の仕切板２１０と仕切枠体２３０の熱膨張差による回転仕切体２００の反りが防止でき、外部からの熱侵入を抑えた高信頼性の扉密閉が確保できる。
【００３９】
（実施の形態２）
図７は本発明の実施の形態２による冷蔵庫の加温手段の具体構成図、図８は同実施の形態２による冷蔵庫のヒーター各部位におけるヒーター発熱量と仕切板表面温度の関係を説明した図である。なお、実施の形態１と同一構成については同一符号を付して、異なる部分について説明する。
【００４０】
図７において、加温手段２４０は図中一点鎖線右側に長さＬを持つ直線状のヒーターの加温部分２４１、左側に発熱しない電線等のリード線２４２で構成される。加温部分２４１は実施の形態１の図４に示す様に、回転仕切体２００の略全高域とほぼ同じ長さで、合成樹脂製の仕切板２１０の中央に配置される。加温部分２４１はその発熱量すなわちワット密度が可変であり、図７では部位ａ、ｂ、ｃと３区分を可変としている。尚、加温部分２４１のヒーターを可変にする具体的な手段としては、線状巻線抵抗線の巻きピッチを変えて抵抗値を可変したり、印刷抵抗の抵抗ペースト成分を可変してシート抵抗としたり、抵抗値の異なる発熱抵抗線を直列接続すれば可能である。また、本実施の形態では部位を３区分としたが、目的に応じて複数区分とすれば良い。
【００４１】
以上のように構成された冷蔵庫について、以下その動作、作用について図８を用いて説明する。
【００４２】
まず、ヒーターに通電がない場合、仕切板２１０の表面温度は点線で示す様に、中央部（部位ｂ）では低く、両端に向かうほど温度は高くなる（部位ａ、ｃ）。これは冷蔵室１０５と扉ガスケット１１０の密閉性や熱伝導、あるいは冷蔵室１０５内の冷気循環影響により温度分布の不均一が発生してしまうからである。次に、ヒーターを通電する場合、仕切板２１０の表面温度が結露領域にあるので、ヒーターを通電して各部位を結露境界線以上の温度に昇温させる必要がある。
【００４３】
この時、従来の様な一点鎖線で示す発熱量一定のヒーターでは、各部位の温度上昇が一定のため、最も温度の低い部位ｂに発熱量を合わせる必要があり、部位ａ、ｃに対しては一点鎖線の様に不必要な温度上昇が発生してしまう。
【００４４】
一方、本実施の形態では図７に示す様に、ヒーターの発熱量を部位により可変にしている。すなわち実線で示す様に、部位ｂは発熱量を大きくし、部位ａ、ｃでは小さくする。こうすることで、ヒーター通電なしの仕切板２１０の表面温度（点線）は、露点境界線を必要最小限越えた均一な表面温度（実線）にすることができる。これをヒーターの発熱量で従来と比較すると、斜線で囲った領域分の発熱量が不要で、その分消費電力量が削減できる。
【００４５】
以上のように、本実施の形態においては、加温手段２４０の加温部分２４１を複数に分割した部位とし、各部位のワット密度を可変としたことにより、冷蔵庫１００の回転仕切体２００の形状変更等による断熱性能差に対しても、仕切板２１０の表面温度が均一化されるので、温度分布ばらつきがなくなり不必要な電力入力が削減できる。
【００４６】
（実施の形態３）
図９は本発明の実施の形態３による冷蔵室の閉扉状態での要部を示す断面図、図１０は同実施の形態３による図９のＤ−Ｄ断面図、図１１は同実施の形態３による冷蔵室の回転仕切体の分解斜視図、図１２は同実施の形態３による冷蔵庫の加温手段の具体構成図である。なお、実施の形態１および２と同一構成については同一符号を付して、異なる部分について説明する。
【００４７】
図９から図１２において、加温手段２４０の加温部分２４１は、仕切板２１０に直線的に配置された２本の磁性体２１１の間に配置され、２本（往復）の加温部分２４１は並行して磁性体２１１と接触しないように断熱材２２０で圧接保持されている。尚、本実施の形態では磁性体２１１の間に配置する加温部分２４１を２本としたが、スペースが確保できれば更に本数を増やしてもよい。
【００４８】
また、加温手段２４０にはヒーターの加温部分２４１と電線のリード線２４２を電気的
に接続する切替え部分２４３が部位ａの範囲にある。切替え部分２４３には防水性が要求され、樹脂モールドやチューブ封止するのが一般的で、加温部分２４１の線形より太くなる。そのためその横を並走する加温部分２４１の本数は、他の部位ｂ、ｃと比べ少ない本数となる。
【００４９】
以上のように構成された冷蔵庫について、以下その動作、作用について説明する。
【００５０】
先に実施の形態１および２で説明した様に、図８に示す仕切板２１０の表面温度を全長Ｌにおいて一定にするように、加温部分２４１のヒーターのワット密度を同様に可変させる。本実施の形態では複数本の加温部分２４１が配置されているので、実施の形態１および２よりもさらに低入力で所望の温度上昇を得ることができる。
【００５１】
しかしながら、部位ａには切替え部位２４３ａ、２４３ｂがあり部位ｃよりも加温部分２４１の本数が少なくなり、部位ｃと同じワット密度のヒーターでは加温不足となる。そこで部位ａのヒーター線は１本に対し部位ｃは２本であるため、部位ａのワット密度を部位ｃの約２倍にすれば同等の温度上昇を得ることができる。
【００５２】
尚、本実施の形態では部位ａに関してワット密度を上げることとしたが、加温部分２４１のヒーター本数が他の部位に対して少ない任意の部位に対して行えば良い。
【００５３】
以上のように、本実施の形態においては、仕切板２１０内側の磁性体２１１の間に加温手段２４０の加温部分２４１を複数本直線的に配置するので、狭スペースでの配置が可能で、かつ加温部分２４１のヒーターの単位長さ当たりのワット密度を小さく、あるいは通電率を下げることが可能で、結露防止のための入力電力を低減できる。さらに断熱材２２０の片側面だけで加温手段２４０を構成するので、配線作業も簡素化でき工数削減を図ることができる。
【００５４】
また、加温手段２４０の加温部分２４１を複数に分割した部位として各部位のワット密度を可変とし、切替え部位２４３ａ、２４３ｂと平行となる加温部分２４１の範囲のワット密度を、他の範囲のワット密度よりも大きくしたことにより、切替え部位２４３ａ、２４３ｂ付近の加温部分２４１の本数減による温度上昇不足分を補え、回転仕切体２００の仕切板２１０の表面温度が均一化され、温度分布ばらつきがなくなりさらに電力入力が低減できる。
【００５５】
（実施の形態４）
図１３は本発明の実施の形態４による冷蔵室の回転仕切体の分解斜視図、図１４は同実施の形態による冷蔵庫の加温手段の具体構成図、図１５は同実施の形態による冷蔵庫の加温手段の取り付け防止部材の構成図である。なお、実施の形態１から３と同一構成については同一符号を付して、異なる部分について説明する。
【００５６】
図１３および１４において、加温手段２４０のリード線（電線）２４２と加温部分（ヒーター）２４１を電気的に接続する切替え部位２４３ａおよび２４３ｂは、回転仕切体２００の長手方向の中心に近接して配置される。一方の切替え部位２４３ａのリード線２４２側にはワット密度Ｗ１で長さＬ１の部位ｄが接続され、部位ｄに連接して上方向にワット密度Ｗ２で長さＬ２の部位ｅ、部位ｅに連接して部位ｄと平行に下方向にワット密度Ｗ３で長さＬ３の部位ｆ、部位ｆに連接して切替え部位２４３ａ、２４３ｂに併設してワット密度Ｗ４で長さＬ４の部位ｇ、部位ｇに連接して下方向にワット密度Ｗ５で長さＬ５の部位ｈ、部位ｈに連接してワット密度Ｗ６で長さＬ６の部位ｉが最下部に配設され、部位ｉから連接して上方向にワット密度Ｗ７と長さＬ７の部位ｊ、部位ｊの他端に切替え部位２４３ｂが接続されている。
【００５７】
そして、回転仕切体２００の長手方向において、加温手段であるヒーターの各ワット密度は回転仕切体２００の下部が最も高くなるようにヒーター線の各ワット密度を設定している。
【００５８】
具体的には、少なくとも、ワット密度Ｗ１＜ワット密度Ｗ７、ワット密度Ｗ２＜ワット密度Ｗ６、ワット密度Ｗ３＜ワット密度Ｗ５、としている。
【００５９】
また、図１５に示すように、ヒーター線とリード線とのリード線である切替え部位２４３ｂ近傍に、加温手段２４０であるヒーター線の上下方向の取り付け間違いを視覚的に防止するための上下方向取り付け間違い防止部材を備える。
【００６０】
具体的には、上下方向取り付け間違い防止部材として、切替え部位２４３ａおよび２４３ｂに接続されるそれぞれのリード線２４２の被覆を異なる色で構成している。
【００６１】
また、上下方向取り付け間違い防止部材として、一方の切替え部位２４３ｂまたはその近傍のヒーター線にマーキング２５２を備えている。
【００６２】
また、上下方向取り付け間違い防止部材として、一方の切替え部位２４３ｂまたはその近傍のヒーター線に方向認識部材２５３を備えている。
【００６３】
以上のように構成された冷蔵庫について、以下、回転仕切体２００の動作、作用について説明する。
【００６４】
加温手段２４０が通電されると、加温部分２４１の各部位ｄからｊが発熱し、回転仕切体２００の仕切板２１０の表面を全長Ｌにおいて所望の温度に加温される。この時、冷蔵室１０５内の下方に内蔵された、冷蔵室温度より低く設定されたパーシャル室やチルド室の温度影響を受けて回転仕切体２００の下部が上部より低く冷却されるが、回転仕切体２００の長手方向において、加温手段であるヒーターの各ワット密度は回転仕切体２００の下部が最も高くなるようにヒーター線の各ワット密度に設定している（ワット密度Ｗ１＜ワット密度Ｗ７、ワット密度Ｗ２＜ワット密度Ｗ６、ワット密度Ｗ３＜ワット密度Ｗ５）ので、回転仕切体２００の外表面は冷蔵室１０５内側の温度に対応した発汗防止のための表面温度を効率的に確保することができ、消費電力を低減しながら、確実に回転仕切体２００の発汗を抑制することができる。
【００６５】
また、回転仕切体２００の組立工程において、何らかの作業ミスが発生し、切替え部位２４３ａと２４３ｂが逆設置、すなわち加温部分２４１の正しい発熱部位の順ｄ→ｅ→ｆ→ｇ→ｈ→ｉ→ｊが、間違ってｊ→ｉ→ｈ→ｇ→ｆ→ｅ→ｄの順にならないように視覚的な取り付け間違い防止部材を有している。
【００６６】
具体的には、上下方向取り付け間違い防止部材として、切替え部位２４３ａおよび２４３ｂに接続されるそれぞれのリード線２４２の被覆を異なる色で構成しているので、作業者は、リード線２４２の被覆の色を確認しながら、正しい方向にヒーター線を組み込むことができる。加えて次工程の作業者や検査工程においても、リード線２４２の被覆の色を確認しながら品質管理をすることができる。
【００６７】
また、上下方向取り付け間違い防止部材として、一方の切替え部位２４３ｂまたはその近傍のヒーター線にマーキング２５２を備えているので、作業者は、マーキング２５２を確認しながら、正しい方向にヒーター線を組み込むことができる。加えて次工程の作業者や検査工程においても、マーキング２５２を確認しながら品質管理をすることができる。
【００６８】
また、上下方向取り付け間違い防止部材として、一方の切替え部位２４３ｂまたはその近傍のヒーター線に方向認識部材２５３を備えているので、作業者は、方向認識部材２５３を確認しながら、正しい方向にヒーター線を組み込むことができる。加えて次工程の作業者や検査工程においても、方向認識部材２５３を確認しながら品質管理をすることができる。
【００６９】
なお、上下方向取り付け間違い防止部材である、リード線２４２の被覆を異なる色にする点、一方の切替え部位またはその近傍のヒーター線にマーキング２５２を備える点、一方の切替え部位またはその近傍のヒーター線に方向認識部材２５３を備える点は、それぞれ単独でも上下方向取り付け間違い防止の効果を有するが、それぞれを複数組み合わせることにより、多重安全を図ることができ、確実に取り付け間違いを防止することができる。
【００７０】
以上のように、本実施の形態においては、回転仕切体２００の外表面は冷蔵室１０５内側の温度に対応した発汗防止のための表面温度を効率的に確保することができ、消費電力を低減しながら、確実に回転仕切体２００の発汗を抑制することができる。
【００７１】
さらに、切替え部位２４３ａ、２４３ｂを中心に非対称な発熱分布としたヒータ線（加温手段）２４０の回転仕切体２００への組立工程において、ヒーター線の上下方向取り付け間違いを上下方向取り付け間違い防止部材により確実に防止することができ、消費電力量を抑えて、信頼性の高い冷蔵庫を提供することができる。
【産業上の利用可能性】
【００７２】
以上のように、本発明にかかる冷蔵庫は、回転仕切体内のヒーター線を上下非対称の可変ヒーターとして最適な表面温度にし、結露を防止しつつ消費電力が削減できるので、回転仕切体を備えた業務用冷蔵庫等にも適用できる。
【符号の説明】
【００７３】
１００  冷蔵庫
１０２  左側扉
１０３  右側扉
１０５  冷蔵室
１０６  製氷室
１０７  冷凍貯蔵室
１０８  野菜室
１０９  切替室
１１０  扉ガスケット
１１１  吸着面
１１２  磁性体
２００  回転仕切体
２１０  仕切板
２１１  磁性体
２１２  大気開放部
２２０  断熱材
２３０  仕切枠体
２４０  加温手段
２４１  加温部分（ヒーター）
２４２  リード線（電線）
２４３ａ、２４３ｂ  切替え部位
２５０  補強板
２５２  マーキング
２５３  方向認識部材
５０１、５０２、５０３  カバー
【図１】
2018066498.tif 000003
【図２】
2018066498.tif 000004
【図３】
2018066498.tif 000005
【図４】
2018066498.tif 000006
【図５】
2018066498.tif 000007
【図６】
2018066498.tif 000008
【図７】
2018066498.tif 000009
【図８】
2018066498.tif 000010
【図９】
2018066498.tif 000011
【図１０】
2018066498.tif 000012
【図１１】
2018066498.tif 000013
【図１２】
2018066498.tif 000014
【図１３】
2018066498.tif 000015
【図１４】
2018066498.tif 000016
【図１５】
2018066498.tif 000017
【図１６】
2018066498.tif 000018
【図１７】
2018066498.tif 000019